(57)【要約】【課題】一つの光ルーティング装置あたりで照合するべき宛先の数とラベルを認識するために必要となる光電変換器の数を低減できること。【解決手段】光信号の一部に、宛先情報を含む複数のラベル１６２〜１６４が時間的に分離されて付与された光バースト信号１６０が入力され、光バースト信号１６０をバースト毎に複数のラベル１６２〜１６４のうち一つのラベルの宛先情報に対応した経路に転送する光ルーティング装置１００において、光バースト信号１６０の開始を検知する光バースト信号開始検知回路１０２と、光バースト信号１６０の検知から所定時間経過後に、複数のラベル１６２〜１６４のうち一つのラベルに含まれる宛先情報を認識する光ラベル識別回路１０５と、認識された宛先情報に従って経路を選択し接続する光スイッチ経路設定回路１０６と、を備える。【選択図】図１
2007243243.tif 000002
【特許請求の範囲】
【請求項１】
間歇的光信号の一部に、宛先情報を含む複数のラベルが時間的に分離されて付与された光バースト信号が入力され、当該光バースト信号をバースト毎に前記複数のラベルのうち一つのラベルの宛先情報に対応した経路に転送する光ルーティング装置において、
前記光バースト信号の開始を検知する信号開始検知手段と、
前記光バースト信号の検知から所定時間経過後に、前記複数のラベルのうち一つのラベルに含まれる宛先情報を認識する宛先情報認識手段と、
前記認識された宛先情報に従った経路を設定する経路設定手段と、
を備えたことを特徴とする光ルーティング装置。
【請求項２】
前記信号開始検知手段によって検知された前記光バースト信号の開始から経過する所定時間が設定され、当該所定時間を前記宛先情報認識手段に出力する経過時間設定手段と、
前記経過時間設定手段に対し、前記所定時間を光ネットワーク内における光ルーティング装置の位置に従って設定する制御手段と、
を備えたことを特徴とする請求項１に記載の光ルーティング装置。
【請求項３】
前記制御手段は、
前記光バースト信号の開始から経過する所定時間を、ネットワーク上のホップ数に従って設定することを特徴とする請求項２に記載の光ルーティング装置。
【請求項４】
光バースト信号を電気信号に変換することなくルーティングする光ルーティング装置が多段に接続された光ネットワークにおいて、
前記光ルーティング装置は、
隣接する光ルーティング装置との通信により、前記光ネットワーク内における当該光ルーティング装置の位置を認識する制御手段と、
間歇的光信号の一部に複数の宛先情報を含むラベルが時間的に分離されて付与された光バースト信号の入力により、前記光ネットワーク内における位置に従って、前記複数の宛先情報を含むラベルのうち一つのラベルを時間的に選択する宛先情報識別手段と、
前記宛先情報識別手段によって選択された一つのラベルの宛先情報に従って前記光バースト信号を正しい経路に転送する経路設定手段と、
を備えたことを特徴とする光ネットワーク。
【請求項５】
前記光ルーティング装置は、
前記経路設定手段による経路設定に従った経路接続を行い、入出力ポート数が１×Ｎ型の光スイッチを備え、
Ｍ段の光ルーティング装置を従続接続させることにより１×ＮMのツリー構成としたことを特徴とする請求項４に記載の光ネットワーク。
【請求項６】
前記光ルーティング装置は、
前記経路設定手段による経路設定に従った経路接続を行い、最大Ｌ個の入力ポートとＮ個の出力ポートを有し、入力ポートに最大Ｌ個の波長が入力される光スイッチを備え、
前記経路設定手段は、
前記光スイッチに対して波長毎に独立した経路選択を行うとともに、ネットワーク全体における各波長の始点と終点はＭ1段、Ｍ2段、…ＭL段従続接続された１×ＮMxのツリー構成の一部であることを特徴とする請求項４に記載の光ネットワーク。
【発明の詳細な説明】
【技術分野】
【０００１】
この発明は、光信号を電気信号に変換することなく転送する光ルーティング装置を多段に接続した光ネットワーク、およびその光スイッチを制御する方法に関し、特に多段に接続された光ルーティング装置の光ネットワークにおける位置に従って、複数の宛先情報から一つを選択することができる光ルーティング装置、およびこの光ルーティング装置を多段に接続して構成される光ネットワークに関する。
【背景技術】
【０００２】
大容量の情報を伝送するためには、波長分割多重（ＷＤＭ）技術や、光時分割多重（ＯＴＤＭ）技術が用いられている。一方、これらの技術に加え、より時間粒度の細かい光信号転送処理を実現するために、間歇的な光信号に宛先情報を含むラベルを付与し、そのラベルに基づいて経路の切り替えを行う光スイッチング技術が検討されている。この光スイッチング方法は、間歇的に入力される光信号に付与されたラベルに含まれる宛先情報に基づいて光信号の転送先を判断し、光スイッチの経路を切り替える構成である（例えば、下記特許文献１、非特許文献１参照。）。
【０００３】
【特許文献１】特開２００３−１１０５０４号公報
【非特許文献１】ワイ・チェン他（Ｙ．Ｃｈｅｎ，  ｅｔ．ａｌ．），「オプティカル  バースト  スイッチング（オービーエス）：ア  ニュー  エリア  イン  オプティカル  ネットワーキング  リサーチ（Ｏｐｔｉｃａｌ  Ｂｕｒｓｔ  Ｓｗｉｔｃｈｉｎｇ  （ＯＢＳ）：  Ａ  Ｎｅｗ  Ａｒｅａ  ｉｎ  Ｏｐｔｉｃａｌ  Ｎｅｔｗｏｒｋｉｎｇ  Ｒｅｓｅａｒｃｈ）」，アイトリプルイー  ネットワーク（ＩＥＥＥ  Ｎｅｔｗｏｒｋ），ｖｏｌ．１８，ｐｐ．１６−２３，２００４年３月
【発明の開示】
【発明が解決しようとする課題】
【０００４】
しかしながら、上記従来の光スイッチング方法は、間歇的に入力される光信号に付与されたラベルに含まれる宛先情報を読み取るために、光スイッチ制御装置のラベル受信部において、入力される光信号とラベル受信部のクロック周波数および位相を同期させる必要があり、この同期にかかる時間のために光スイッチにおける転送処理速度および経路切り替え速度の高速化に支障が生じていた。特に、光信号に複数の宛先が設定され、光スイッチがこの複数の宛先に対応して複数の経路（複数の出力ポート、例えば８ポート）を高速に切り替えできる技術が要望されていた。
【０００５】
この発明は、上述した従来技術による問題点を解消するため、一つの光ルーティング装置あたりで照合するべき宛先の数とラベルを認識するために必要となる光電変換器の数をそれぞれ低減できる光ルーティング装置を提供することを目的とする。さらに、この光ルーティング装置を用いて容易に接続段数を増減でき、拡張性および柔軟性を有する光ネットワークを提供することを目的としている。
【課題を解決するための手段】
【０００６】
上述した課題を解決し、目的を達成するため、請求項１の発明にかかる光ルーティング装置は、間歇的光信号の一部に、宛先情報を含む複数のラベルが時間的に分離されて付与された光バースト信号が入力され、当該光バースト信号をバースト毎に前記複数のラベルのうち一つのラベルの宛先情報に対応した経路に転送する光ルーティング装置において、前記光バースト信号の開始を検知する信号開始検知手段と、前記光バースト信号の検知から所定時間経過後に、前記複数のラベルのうち一つのラベルに含まれる宛先情報を認識する宛先情報認識手段と、前記認識された宛先情報に従って経路を設定する経路設定手段と、を備えたことを特徴とする。
【０００７】
また、請求項２の発明にかかる光ルーティング装置は、請求項１に記載の発明において、前記信号開始検知手段によって検知された前記光バースト信号の開始から経過する所定時間が設定され、当該所定時間を前記宛先情報認識手段に出力する経過時間設定手段と、前記経過時間設定手段に対し、前記所定時間を光ネットワーク内における光ルーティング装置の位置に従って設定する制御手段と、を備えたことを特徴とする。
【０００８】
また、請求項３の発明にかかる光ルーティング装置は、請求項２に記載の発明において、前記制御手段は、前記光バースト信号の開始から経過する所定時間を、ネットワーク上のホップ数に従って設定することを特徴とする。
【０００９】
また、請求項４の発明にかかる光ネットワークは、光バースト信号を電気信号に変換することなくルーティングする光ルーティング装置が多段に接続された光ネットワークにおいて、前記光ルーティング装置は、隣接する光ルーティング装置との通信により、前記光ネットワーク内における当該光ルーティング装置の位置を認識する制御手段と、間歇的光信号の一部に複数の宛先情報を含むラベルが時間的に分離されて付与された光バースト信号の入力により、前記光ネットワーク内における位置に従って、前記複数の宛先情報を含むラベルのうち一つのラベルを時間的に選択する宛先情報識別手段と、前記宛先情報識別手段によって選択された一つのラベルの宛先情報に従って前記光バースト信号を正しい経路に転送する経路設定手段と、を備えたことを特徴とする。
【００１０】
また、請求項５の発明にかかる光ネットワークは、請求項４に記載の発明において、前記光ルーティング装置は、前記経路設定手段による経路設定に従った経路接続を行い、入出力ポート数が１×Ｎ型の光スイッチを備え、Ｍ段の光ルーティング装置を従続接続させることにより１×ＮMのツリー構成としたことを特徴とする。
【００１１】
また、請求項６の発明にかかる光ネットワークは、請求項４に記載の発明において、前記光ルーティング装置は、前記経路設定手段による経路設定に従った経路接続を行い、最大Ｌ個の入力ポートとＮ個の出力ポートを有し、入力ポートに最大Ｌ個の波長が入力される光スイッチを備え、前記経路設定手段は、前記光スイッチに対して波長毎に独立した経路選択を行うとともに、ネットワーク全体における各波長の始点と終点はＭ1段、Ｍ2段、…ＭL段従続接続された１×ＮMxのツリー構成の一部であることを特徴とする。
【発明の効果】
【００１２】
本発明の光ルーティング装置によれば、一つの光ルーティング装置あたりで照合するべき宛先の数とラベルを認識するために必要となる光電変換器の数をそれぞれ低減できるという効果を奏する。また、本発明の光ネットワークは、同一の構成による光ルーティング装置を用いて容易に接続段数を増減でき、拡張性と柔軟性に優れた光ネットワークを構成できるという効果を奏する。
【発明を実施するための最良の形態】
【００１３】
以下に添付図面を参照して、この発明にかかる光ルーティング装置および光ネットワークの好適な実施の形態を詳細に説明する。
【００１４】
（実施の形態１）
（光ルーティング装置の構成）
図１は、この発明の光ルーティング装置を示す構成図である。光ルーティング装置１００は、光スイッチ制御部１０１と、光カプラ１３０と、遅延線１４０と、１×８光スイッチ１５０とにより構成されている。また、光スイッチ制御部１０１は、さらに１×４スターカプラ１２０と、Ｎビット遅延線１２１と、Ｎ＋１ビット遅延線１２２と、Ｎ＋２ビット遅延線１２３と、光検出器（ＰＤ）１：１１０と、ＰＤ２：１１１と、ＰＤ３：１１２と、ＰＤ４：１１３と、光バースト信号開始検知回路１０２と、経過時間設定回路１０３と、光ラベル識別回路１０５と、光スイッチ経路設定回路１０６とにより構成されている。経過時間設定回路１０３には経過時間設定信号１０４が外部より入力される。なお、１×８等の「×」という記載は、入力ポート数が１に対して出力ポート数が８であることを指している。
【００１５】
伝送路を介して入力される光信号１６０は、バースト化されており（光バースト信号）、このバースト単位の光信号１６０の先頭には、光バースト信号の開始を表すフレーム開始部（Ｓｔａｒｔ  Ｆｒａｍｅ  Ｄｅｌｉｍｉｔｅｒ、ＳＦＤ）１６１が付与されている。さらに時間的に引き続いて宛先情報（Ｄｅｓｔｉｎａｔｉｏｎ  Ａｄｄｒｅｓｓ、ＤＡ）を含む３つのラベル（１６２〜１６４）が時間的に分離されて付与されており、その後に実際の送信データを含むペイロード１６５が続いている。なお、ここでは、光信号１６０のペイロード１６５以外の部分を「ヘッダ」と呼ぶ。このペイロード１６５の長さは固定長、可変長のいずれでもよい。
【００１６】
この光信号１６０は光カブラ１３０に入力され、その一部が光スイッチ制御部１０１に入力され、残りは１×８光スイッチ１５０に入力される。光スイッチ制御部１０１に入力された信号は、１×４スターカプラ１２０によって分岐され、そのうち一つは光検出器（Ｐｈｏｔｏ−Ｄｅｔｅｃｔｏｒ、ＰＤ）１：１１０に、別の一つはＮビット遅延線１２１を経てＰＤ２：１１１に、また別の一つはＮ＋１ビット遅延線１２２を経てＰＤ３：１１２に、最後の一つはＮ＋２ビット遅延線１２３を経てＰＤ４：１１３にそれぞれ入力される。
【００１７】
図２−１は、図１に示した光ルーティング装置の分岐遅延部を示す図である。この図２−１には、図１に示した光カプラ１３０から光検出器１〜４までの部分の構成（分岐遅延部１２５）を抽出してある。
【００１８】
Ｎビット遅延線１２１は、後述の理由によりＮ＝０とすることで省略している。また、光信号１６０のヘッダ部分を抽出して記載しており、この例ではＳＦＤ１６１が２４ビット長の連続した１レベルであり、各ＤＡは３ビット長の宛先情報である。ＳＦＤ１６１とＤＡ１：１６２の間隔は４ビット長、また各ＤＡ１６２、１６３、１６４の間隔は３ビット長である。ここで各ＤＡ１６２、１６３、１６４の間隔は、光ラベル識別回路１０５の識別を正しく行うための時間的な余裕として与えている。なおこの例では、この光ルーティング装置１００でＤＡ２（１６３）を宛先情報として受信する場合を示している。図２−１に示すとおり、ＳＦＤ１６１はペイロード部もしくはＤＡ部では現れることのない、長期（この例では２４ビット）に連続した１レベルからなる。
【００１９】
図２−２は、図２−１に示す分岐遅延部の出力を示すタイミングチャートである。ＰＤ１（１１０）〜ＰＤ４（１１３）の受信信号を記載してある。ＰＤ４：１１３で受信された信号を検知した光バースト信号開始検知回路１０２（図１参照）は、長期に連続した１レベルを認識してＳＦＤ１６１であると判定し、ＳＦＤ１６１が１レベルから０レベルに遷移する時刻を光バースト信号１６０の開始検知時刻ｔ１としてタイマーを起動する。
【００２０】
このタイミング信号を受けた経過時間設定回路１０３は、予め別に受けた経過時間設定信号の設定値１０４まで所定時間Ｔ１を測定し、設定時間ｔ２（光ラベル識別時刻）に到達した時点でトリガ信号を光ラベル識別回路１０５（図１参照）に送出する。図２−２に示した例では、所定時間Ｔ１は１２．５ビット長である。なお、図２−２の例では、光バースト信号開始検知回路１０２が光バースト信号１６０の開始を検知してから光ラベル識別回路１０５がトリガ信号を受けるまでに要する最短の信号処理時間が４ビット長であると仮定している。光バースト信号の開始から経過する所定時間Ｔ１は、後述するがネットワーク上のホップ数に従って設定でき、光バースト信号との同期をとらずに設定できる。
【００２１】
光ラベル識別回路１０５は、トリガ信号を受けた時刻でＰＤ１〜ＰＤ３（１１０〜１１２）のビット（１レベルまたは０レベル）を同時に判定し、ＤＡ２：１６３に含まれる３ビット長の宛先情報を識別する。上記の仮定のとおり、光ラベル識別回路１０５は光バースト信号開始検知時刻ｔ１から４ビット長以後であれば、任意の時刻で光ラベルに含まれる宛先情報を識別することができる。従って、図２−１の例ではＮビット遅延線１２１のＮの値を０としてもかまわない。もし、光バースト信号開始検知時刻ｔ１から光ラベル識別回路１０５がトリガ信号を受けるまでに要する最短の処理時間がより長い場合は、適切な値のＮを選べばよい。
【００２２】
そして、図１に示す光ラベル識別回路１０５は、識別した宛先情報信号を光スイッチ経路設定回路１０６に送出する。図２−１に示した例では、この宛先情報は６（２ビット表示で“１１０”）である。
【００２３】
光スイッチ経路設定回路１０６は受信した宛先情報信号に従って１×８光スイッチ１５０の出力ポートを選択し、入力ポートと接続する。
【００２４】
光カプラ１３０で分岐された信号のうち遅延線１４０に向かって送出された光信号１６０の一部は、遅延線１４０で上記の光スイッチ制御部１０１の一連の処理に必要な時間だけ遅延された後、１×８光スイッチ１５０の選択された出力ポート（この例では「＃６」）に転送される。
【００２５】
（光ネットワークの構成）
図３は、この発明の光ルーティング装置を用いた光ネットワークを示す図である。この図３には、図１および図２−１で説明した光ルーティング装置１００がツリー状に３段従続接続された構成の光ネットワーク２００を示してある。なお、図面が煩雑になるのを避けるため、ネットワークの一部のみを抜粋して図示している。
【００２６】
一例として、サーバコンピュータ２１０からクライアントコンピュータ２１１へ光ネットワーク２００を介して通信を行う場合を説明する。サーバコンピュータ２１０は、光ルーティング装置１００−１の光スイッチ制御部１０１−１に向かって制御信号２２０−１を送出する。この制御信号２２０−１を受信した光スイッチ制御部１０１−１は、入力ポート側にあるサーバコンピュータ２１０が送信元であり、当該光ルーティング装置１００−１がサーバコンピュータ２１０から直接、制御信号２２０−１を受信した１ホップ目であることを認識する。これに基づき、光スイッチ制御部１０１−１は、経過時間設定回路１０３（図１参照）に経過時間設定信号１０４を送出する。図２−１の例に沿った場合、この設定時間は６．５ビット長に相当する。
【００２７】
光スイッチ制御部１０１−１は、光スイッチ制御部１０１−２に向かって制御信号２２０−２を送出する。これにより、光スイッチ制御部１０１−２は当該光ルーティング装置１００−２がサーバコンピュータ２１０から２ホップ目であることを認識し、同様な手続きに従って経過時間を設定する。図２−１および図２−２の例に沿った場合、この設定時間は１２．５ビット長に相当する。
【００２８】
さらに、光スイッチ制御部１０１−２は、光スイッチ制御部１０１−３に向かって制御信号２２０−３を送出する。これにより、光スイッチ制御部１０１−３は当該光ルーティング装置１００−３がサーバコンピュータ２１０から３ホップ目であることを認識し、同様な手続きに従って経過時間を設定する。図２−１および図２−２の例に沿った場合、この設定時間は１８．５ビット長に相当する。
【００２９】
同様な手続きによって、全ての光ルーティング装置１００−１〜１００−３は、それぞれのサーバコンピュータ２１０からのホップ数を認識し、適切な経過時間を設定することができる。
【００３０】
以上、図１、図２−１、図２−２および図３に従って説明したとおり、本発明によれば、光ルーティング装置１００（１００−１〜１００−３）においては、用いられている１×８光スイッチ１５０の出力ポートの数に相当するビット数の宛先情報があれば、正しい経路を選択することができる。また、光信号１６０のヘッダ部にホップ数のＤＡを時間的に分離して記述しておけば、光信号１６０は正しい経路に沿って転送される。
【００３１】
図４は、ＤＡを分離せずに一つのラベルとした場合の光ルーティング装置を示す図である（本発明との対比図）。この図４では、仮にＤＡを上記のように分離せず、一つのラベルとした場合を想定している。図面が煩雑になるのを避けるため、ここでは１×８光ルーティング装置を２段従続接続する場合の例としている。また、ＰＤ入力部の遅延線も図示を省略しているが、実際には図１の場合と同じようにＮビット＋ｎビット（ｎ＝１〜５）の遅延線がそれぞれ必要である。
【００３２】
図４に示す例では、宛先は６４通りあるので、全ての宛先を一つのＤＡ１６２で表すためには６ビット必要である。信号処理の流れは先述した本発明の構成例と類似しているが、ＳＦＤ１６１とＤＡ１６２の時間間隔は一定なので、経過時間設定に関する回路および信号処理を省略することができる。
【００３３】
一方、ＰＤは７つ必要になる。これを、本発明の如く図１あるいは図２−１の構成例と比較すると、光ルーティング装置１台あたりで、ＰＤが３つ多くなることになる。図３に示すように、１×８光ルーティング装置を２段従続接続した場合、光ネットワーク２００内の光ルーティング装置の台数は計９台になるので、本発明のネットワーク全体としては、図４の構成に比してＰＤが２７個少なくてすむことになる。
【００３４】
さらに、本発明の光スイッチ経路設定回路１０６（図１参照）の場合は、光ラベル識別回路１０５から受信した宛先情報をそのまま１×８光スイッチ１５０の出力ポートに一対一で対応させればよいため、非常に簡単な信号処理を行うだけでよいが、対比用の図４の場合には、光ラベル識別回路１０５から受信した宛先情報が光スイッチの出力ポートのいずれに対応するかを判断する必要があり、余分な信号処理が必要になる。
【００３５】
上記説明では、光ルーティング装置を２段従続接続した場合の対比について示したが、この接続段数が３段あるいはそれ以上になると、必要となるＰＤの数、あるいは光ラベル識別回路１０５で必要となる信号処理回数が指数的に多くなることが理解できる。
【００３６】
以上、図４を用いて説明した対比構成例と、図１〜図３に従って説明した本発明の構成例の比較からわかるとおり、本発明は、ラベル受信に必要なＰＤの数の削減、および宛先情報と光スイッチの出力ポートとの対応を行うための信号処理回数を低減できるものである。
【００３７】
さらに、図４に示した対比構成例の光ルーティング装置は、予め決められた段数（図５では２段）のネットワークにしか用いることができず、段数を増やすためには全ての光ルーティング装置のＰＤを増設し、かつ光ラベル識別回路１０５で行う宛先情報と光スイッチの出力ポートとの対応を書き替える必要がある。
【００３８】
即ち、本発明の光ルーティング装置によれば、同様な構造や回路を有する光ルーティング装置を用いて容易に接続段数を増減することが可能であるため、光ネットワークに拡張性を与えることができるようになる。
【００３９】
なお、以上の説明では、全て１個の入力ポートから８個の出力ポートのうちの一つに転送する例を示したが、実際の通信データの伝送方向は必ずしも入力ポートから出力ポートに向かっている必要はない。光信号１６０のヘッダ情報によって設定された経路が確立している間は、出力ポート側から入力ポート側へデータを送信してもかまわない。
【００４０】
（実施の形態２）
次に、本発明の実施の形態２に付いて説明する。上述した実施の形態１の説明では、全て１×８の光スイッチを用いた光ルーティング装置を例にとって説明したが、本発明の適用範囲はこのような１×Ｎ型のツリー構造に限らない。
【００４１】
図５は、本発明の光ルーティング装置をメッシュ型ネットワークに適用した構成例を示す図である。この図５は、光ルーティング装置１００をＬ×Ｎ構造のメッシュ型ネットワークに拡張した一例であり、２×８光スイッチを用いた場合を説明する。
【００４２】
図５の構成例では、図１と同等の光スイッチ制御部１１０が２系統設けられている。図の上半部には光スイッチ制御部１０１−１が配置され、下半部には光スイッチ制御部１０１−２が配置されている。これら光スイッチ制御部１０１−１，１０１−２は、内部構成が同一であり、同一の構成部では添字だけを変更して記載してある。入力される光信号１６０は、波長分波器１７０で波長に応じて振り分けられ、図の上半部の系統では、光信号１６０−１は波長λ1で送信される。また下半部の系統では、光信号１６０−２では波長λ2で送信される。
【００４３】
また、光スイッチ１５１は２×８構成であり、ここではまず一例として入力ポートのうち一つと出力ポートのうち一つが一対一でノンブロッキングに接続されるものであると仮定する。
【００４４】
このとき、光信号１６０−１と光信号１６０−２は、同一の出力ポートが選択されない限り、お互いに干渉することなく経路を設定することが可能であり、図１〜図３を用いて説明した手順と同様の手順で、正しい経路に転送される。
【００４５】
また、別の一例として、２×８光スイッチ１５１が複数の入力ポートから同一の出力ポートへ接続することが可能であるものであると仮定すると、光信号１６０−１および光信号１６０−２は、同一の出力ポートへ転送されることも可能になる。光信号１６０−１と光信号１６０−２は波長が異なるため、受信側では波長フィルタなどの波長を弁別する手段を用いて分離することが可能であり、同時に同一の出力ポートへ転送されても支障はない。
【００４６】
図５の例では、光スイッチを２×８構成とした例を示したが、波長の数を増やすことにより容易に入力ポート数を増やすことが可能であることはいうまでもない。
【００４７】
このとき、光ネットワーク全体において、それぞれの波長ではツリー構造となっていることが必要である。
【００４８】
（実施の形態３）
但し、各波長の光スイッチ制御部において、経過時間を設定する制御信号が正しく行われていれば、それぞれの波長の光信号のヘッダ部に含まれるＤＡを正しく読み取ることができるので、各波長の始点（ツリーの根）と終点（ツリーの枝）は同一である必要はない。以下に図面に従って説明する。
【００４９】
図６−１は２×２構成の光スイッチ１５２の下流（右側）に２×２構成の光スイッチ１５３と１×２構成の光スイッチ１５４からなる３×４の光ネットワークを示す。なお、この図においては、図の簡素化のために光スイッチのみを示しており、光スイッチ制御部などは省略してある。
【００５０】
ここで、図６−２に示すとおり、ある波長（λ1）の入力ポートを中央のポートとすると、λ1で点線のような１×４ツリーが構成できる。
【００５１】
また図６−３に示すとおり、別の波長（λ2）の入力ポートを最下段のポートとすると、同じく、点線で示すとおりλ2で１×４ツリーが構成できる。
【００５２】
図６−２及び図６−３に示すとおり、λ1のツリー及びλ2ツリーでは共に光スイッチ１５２が１段目、光スイッチ１５３及び光スイッチ１５４が２段目にあたる。
【００５３】
一方、図６−４に示すとおり、さらに別の波長（λ3）の入力ポートを最上段のポートとすると、点線で示すとおりλ3では１×２ツリーが構成できる。λ3のツリーでは、光スイッチ１５３が１段目にあたる。
【００５４】
以上のように、波長毎の複数のツリーを組み合わせることで、多様な構造のネットワークを構築することができる。各波長のツリーに関して、実施の形態１で示した単一波長における光ルーティング装置及び光ネットワークを適用可能であることは明らかである。
【００５５】
なお、図の簡素化のために光スイッチのスケールを２×２あるいは１×２で例示してあるが、各光スイッチのスケールに関わらず、複数のツリーを組み合わせた光ネットワーク構造であれば、本発明を適用可能であることは明らかである。
【００５６】
以上説明した光ルーティング装置は、宛先情報を含む複数のラベルを付与した間歇的な光信号の入力時に、少ない部品点数および信号処理回数で転送先を判断して光信号を転送することができる。さらに、そのような複数の光ルーティング装置が接続された光ネットワークは、拡張性に富み、また構成にも柔軟性がある。
【産業上の利用可能性】
【００５７】
以上のように、本発明にかかる光ルーティング装置および光ネットワークは、拡張性および柔軟性に富んだ光ネットワークを実現可能であり、特に多数の光ルーティング装置を従続接続して光信号をバースト毎にルーティングし、経路を切り替える光ネットワークの実現に適している。
【図面の簡単な説明】
【００５８】
【図１】この発明の光ルーティング装置を示す構成図である。
【図２−１】図１に示した光ルーティング装置の分岐遅延部を示す図である。
【図２−２】図２−１に示す分岐遅延部の出力を示すタイミングチャートである。
【図３】この発明の光ルーティング装置を用いた光ネットワークを示す図である。
【図４】ＤＡを分離せずに一つのラベルとした場合の光ルーティング装置を示す図である（本発明との対比図）。
【図５】本発明の光ルーティング装置をメッシュ型ネットワークに適用した構成例を示す図である。
【図６−１】本発明の光ルーティング装置をメッシュ型ネットワークに適用した別の構成例を示す図である。
【図６−２】図６−１のネットワークにおける、ある波長λ1に対するツリー構成を示した図である。
【図６−３】図６−１のネットワークにおける、別の波長λ2に対するツリー構成を示した図である。
【図６−４】図６−１のネットワークにおける、さらに別の波長λ3のツリー構成を示した図である。
【符号の説明】
【００５９】
１００  光ルーティング装置
１０１  光スイッチ制御部
１０２  光バースト信号開始検知回路
１０３  経過時間設定回路
１０４  経過時間設定信号
１０５  光ラベル識別回路
１０６  光スイッチ経路設定回路
１１０〜１１６  光検出器１〜７
１２０  １×４スターカプラ
１２１〜１２３  ビット遅延線
１２５  分岐遅延部
１３０  光カプラ
１４０  遅延線
１５０  １×８光スイッチ
１５１  ２×８光スイッチ
１５２〜１５３  ２×２光スイッチ
１５４  １×２光スイッチ
１６０  光信号（光バースト信号）
１６１  フレーム開始部（Ｓｔａｒｔ  Ｆｒａｍｅ  Ｄｅｌｉｍｉｔｅｒ、ＳＦＤ）
１６２  宛先アドレスＤＡ１（Ｄｅｓｔｉｎａｔｉｏｎ  Ａｄｄｒｅｓｓ、ＤＡ）
１６３  ＤＡ２
１６４  ＤＡ３
１７０  波長分波器
【図１】
2007243243.tif 000003
【図２−１】
2007243243.tif 000004
【図２−２】
2007243243.tif 000005
【図３】
2007243243.tif 000006
【図４】
2007243243.tif 000007
【図５】
2007243243.tif 000008
【図６−１】
2007243243.tif 000009
【図６−２】
2007243243.tif 000010
【図６−３】
2007243243.tif 000011
【図６−４】
2007243243.tif 000012